【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
表面に月日や曜日等の暦情報が記載された複数枚のカレンダー用紙群の一辺相互が表紙と共に冊子状に綴じ込まれてあり、前記一辺を上端にして起立させると共に、最表面に位置している表紙又は前記カレンダー用紙を、前記一辺を回動支点として上方へ回動させて最裏面に位置させることにより、前記カレンダー用紙群の各表面を順次閲覧することができる卓上カレンダーにおいて、
前記カレンダー用紙の表面の前記一辺近傍に前方装飾体が設けられ、前記表紙又は前記カレンダー用紙の裏面の前記一辺近傍に後方装飾体が設けられ、
前記前方装飾体は、前記カレンダー用紙が最表面に位置するときに前記一辺よりも上方に突出するように起立可能に構成され、前記後方装飾体は、前記表紙又は前記カレンダー用紙が最裏面に位置するときに前記一辺よりも上方に突出するように起立可能に構成され、
同時に起立する前記前方装飾体と前記後方装飾体とは、前記一辺よりも上方にて連結片によって連結されてあり、
前記表紙及び前記カレンダー用紙群を積層させた不使用時には、前記前方装飾体及び後方装飾体、さらには、前記連結片は、前記表紙及び前記カレンダー用紙群相互間に、扁平に折り畳まれた状態で収納可能であることを特徴とする卓上カレンダー。
【請求項２】
請求項１に記載の卓上カレンダーにおいて、
前記前方装飾体は、その下端部裏面を前糊代として前記カレンダー用紙の表面の所定位置に貼着され、
前記後方装飾体は、その下端部表面を後糊代として、前記表紙又はカレンダー用紙の裏面の所定位置に貼着され、
前記前方装飾体の前記前糊代とその上方の前方装飾体本体との境界線は、谷折り方向に折り曲げ可能な折り曲げ部となっており、
前記後方装飾体の前記後糊代とその上方の後方装飾体本体との境界線は、山折り方向に折り曲げ可能な折り曲げ部となっており、
前記連結片の前後両端部は、前記前方装飾体と前記後方装飾体とに対してはそれぞれ折り曲げ可能に形成されていることを特徴とする卓上カレンダー。
【請求項３】
請求項１又は請求項２に記載の卓上カレンダーにおいて、
複数枚の前記カレンダー用紙群の各々に設けられている前記前方装飾体及び前記後方装飾体は、異なる図柄から構成されていることを特徴とする卓上カレンダー。
【手続補正２】
【補正対象書類名】明細書
【補正対象項目名】０００４
【補正方法】変更
【補正の内容】
【０００４】
このように、従来の卓上カレンダーでは、最表面に位置しているカレンダー用紙(1)を順次回動させて最裏面へ送るだけで、場所をとらず、卓上で手軽に年月日や曜日を確認することができる。
上記したような卓上カレンダーでは、各カレンダー用紙(1)(1)の表面に、暦情報(10)といった機能的な記載のほかに、装飾性を高めるために、イラストや写真等の装飾部分も印刷されているものもある。
又、特開２００２−１１９７９号公報（特許文献１）や特許第３８０１４２４号公報（特許文献２）に開示されているものでは、支持具(42)に立体的な装飾体を具備させて商品価値を高めている。
【特許文献１】特開２００２−１１９７９号公報
【特許文献２】特許第３８０１４２４号公報
【特許文献３】特開２００１−１３８６６５号公報
【手続補正３】
【補正対象書類名】明細書
【補正対象項目名】０００６
【補正方法】変更
【補正の内容】
【０００６】
本発明は、装飾性を向上させて、室内装飾品としても価値のある卓上カレンダーを提供することを課題とする。
【手続補正４】
【補正対象書類名】明細書
【補正対象項目名】０００７
【補正方法】変更
【補正の内容】
【０００７】
本発明に係る卓上カレンダーは、
表面に月日や曜日等の暦情報が記載された複数枚のカレンダー用紙群の一辺相互が表紙と共に冊子状に綴じ込まれてあり、前記一辺を上端にして起立させると共に、最表面に位置している表紙又は前記カレンダー用紙を、前記一辺を回動支点として上方へ回動させて最裏面に位置させることにより、前記カレンダー用紙群の各表面を順次閲覧することができる卓上カレンダーにおいて、
前記カレンダー用紙の表面の前記一辺近傍に前方装飾体が設けられ、前記表紙又は前記カレンダー用紙の裏面の前記一辺近傍に後方装飾体が設けられ、
前記前方装飾体は、前記カレンダー用紙が最表面に位置するときに前記一辺よりも上方に突出するように起立可能に構成され、前記後方装飾体は、前記表紙又は前記カレンダー用紙が最裏面に位置するときに前記一辺よりも上方に突出するように起立可能に構成され、
同時に起立する前記前方装飾体と前記後方装飾体とは、前記一辺よりも上方にて連結片によって連結されてあり、
前記表紙及び前記カレンダー用紙群を積層させた不使用時には、前記前方装飾体及び後方装飾体、さらには、前記連結片は、前記表紙及び前記カレンダー用紙群相互間に、扁平に折り畳まれた状態で収納可能とするものである。
【手続補正５】
【補正対象書類名】明細書
【補正対象項目名】０００９
【補正方法】変更
【補正の内容】
【０００９】
同様に、前記第１枚目のカレンダー用紙を回動させて最裏面へ移動させると、その後ろに位置していた第２枚目のカレンダー用紙の表面が最表面に現れると同時に、前記第１枚目のカレンダー用紙の裏面に設けられている後方装飾体と、前記第２枚目のカレンダー用紙の表面に設けられている前方装飾体が同時に起立する。
【手続補正６】
【補正対象書類名】明細書
【補正対象項目名】００１２
【補正方法】変更
【補正の内容】
【００１２】
前記卓上カレンダーにおいて、
前記前方装飾体は、その下端部裏面を前糊代として前記カレンダー用紙の表面の所定位置に貼着され、
前記後方装飾体は、その下端部表面を後糊代として、前記表紙又はカレンダー用紙の裏面の所定位置に貼着され、
前記前方装飾体の前記前糊代とその上方の前方装飾体本体との境界線は、谷折り方向に折り曲げ可能な折り曲げ部となっており、
前記後方装飾体の前記後糊代とその上方の後方装飾体本体との境界線は、山折り方向に折り曲げ可能な折り曲げ部となっており、
前記連結片の前後両端部は、前記前方装飾体と前記後方装飾体とに対してはそれぞれ折り曲げ可能に形成されているものとしてもよい。
この場合、表紙及びカレンダー用紙群が閉じられた状態では、前方装飾体は、その折り曲げ部にて、前記前糊代と前記前方装飾体本体の表面相互が接触する谷折り状態に二つ折りにされ、後方装飾体は、その折り曲げ部にて、前記後糊代と前記後方装飾体本体の裏面相互が接触する山折り状態に二つ折りにされ、連結片は、前後両端部でそれぞれ所定の方向に折り曲げられることにより、前方装飾体、後方装飾体、及び、連結体は、扁平状態に重なり合った状態に折り畳まれる。
【手続補正７】
【補正対象書類名】明細書
【補正対象項目名】００１４
【補正方法】変更
【補正の内容】
【００１４】
前記卓上カレンダーにおいて、
複数枚の前記カレンダー用紙群の各々に設けられている前記前方装飾体及び前記後方装飾体は、異なる図柄から構成されているものとしてもよい。
この場合、カレンダー用紙を捲るたびに、異なる図柄が描かれた前記前方装飾体及び前記後方装飾体が上方へ突出する態様となる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１９
【補正方法】変更
【補正の内容】
【００１９】
また、請求項３に係る発明によれば、カレンダー用紙を順次回動させるたびに、異なる図柄が描かれた前方装飾体及び後方装飾体が、次々と上方へ突出する態様となるから、月が替わって、最表面に位置させるカレンダー用紙が変わることにより、卓上カレンダー全体の雰囲気が変わることとなる。よって、使用者は、一年を通して、常に新鮮な気持ちで、飽きることなく使用することができ、興趣に尽きない室内装飾品としての効果も向上する。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２８
【補正方法】変更
【補正の内容】
【００２８】
これら前方装飾体(2)及び後方装飾体(3)は、図３に示すように、前記一辺(13)を介して跨るよう位置する、表紙(15)と第１枚目のカレンダー用紙(1a)又は前後２枚のカレンダー用紙(1)(1)間の各々の表面(11)及び裏面(12)に各々貼着される。
【手続補正１４】
【補正対象書類名】明細書
【補正対象項目名】００２９
【補正方法】変更
【補正の内容】
【００２９】
具体的には、各カレンダー用紙(1)(1)の表面(11)の一辺(13)近傍の略中央域に、前方装飾体(2)の前糊代(20)の裏面(23)が貼着され、表紙(15)又は各カレンダー用紙(1)(1)の裏面(12)の一辺(13)近傍の略中央域に、後方装飾体(3)の後糊代(30)の表面(33)が貼着される。
尚、表紙(15)及び１２枚のカレンダー用紙(1)(1)間各々に設けた、１２枚の前方装飾体(2)及び後方装飾体(3)は、すべて異なる形状に打ち抜かれ、その各々に異なる図柄が印刷されているものとする。
【手続補正１５】
【補正対象書類名】明細書
【補正対象項目名】００３０
【補正方法】変更
【補正の内容】
【００３０】
表紙(15)が最表面に位置するように、冊子状に綴じられた卓上カレンダーの不使用時では、全ての前方装飾体(2)及び後方装飾体(3)は、図３の第１枚目のカレンダー用紙(1a)と第２枚目のカレンダー用紙(1b)との間に位置する前方装飾体(2)及び後方装飾体(3)のように、前方装飾体(2)は、折り曲げ部(22)にて谷折り状態に二つ折りにされてあり、後方装飾体(3)は、折り曲げ部(32)にて山折り状態に二つ折りにされてあり、両者間に連結片(4)の折り曲げ部(24)が山折りされ且つ折り曲げ部(34)が谷折りされた状態で、表紙(15)とカレンダー用紙(1)間又はカレンダー用紙(1)(1)相互間に折り畳まれて収納される。